(57)【要約】【課題】　この発明は、周辺の明るさに応じて有機ＥＬディスプレイの表示輝度を変化させることができる携帯型電話機を提供することを目的とする。【解決手段】  自動露光制御機能を有するカメラと有機ＥＬディスプレイを備えた携帯型電話機において、カメラの露光制御情報に基づいて、周辺の明るさを判定する判定手段、判定手段によって判定された周辺の明るさに基づいて、有機ＥＬディスプレイの表示輝度を制御する表示輝度制御手段を備えている。【選択図】　図９
2004096760.tif 000002
【特許請求の範囲】
【請求項１】
自動露光制御機能を有するカメラと有機ＥＬディスプレイを備えた携帯型電話機において、
　カメラの露光制御情報に基づいて、周辺の明るさを判定する判定手段、
　判定手段によって判定された周辺の明るさに基づいて、有機ＥＬディスプレイの表示輝度を制御する表示輝度制御手段を備えていることを特徴とする携帯型電話機。
【請求項２】
表示輝度制御手段は、判定手段によって判定された周辺の明るさが暗い場合には有機ＥＬディスプレイの表示輝度が低くなり、判定手段によって判定された周辺の明るさが明るい場合には有機ＥＬディスプレイの表示輝度が高くなるように、有機ＥＬディスプレイの表示輝度を制御するものであることを特徴とする請求項１に記載の携帯型電話機。
【請求項３】
カメラの露光制御情報は、露光時間情報およびＡＧＣゲイン情報のうちから選択された１つであることを特徴とする請求項１および２のいずれかに記載の携帯型電話機。
【請求項４】
有機ＥＬディスプレイを備えた携帯型電話機において、
　有機ＥＬディスプレイの表示面の向きを検出する検出手段、
　検出手段によって検出された有機ＥＬディスプレイの表示面の向きに基づいて、有機ＥＬディスプレイの表示輝度を制御する表示輝度制御手段を備えていることを特徴とする携帯型電話機。
【請求項５】
表示輝度制御手段は、有機ＥＬディスプレイの表示面の向きが上向きである場合には有機ＥＬディスプレイの表示輝度が高くなり、有機ＥＬディスプレイの表示面の向きが下向きである場合には有機ＥＬディスプレイの表示輝度が低くなるように、有機ＥＬディスプレイの表示輝度を制御するものであることを特徴とする請求項４に記載の携帯型電話機。
【発明の詳細な説明】
【技術分野】
【０００１】
　この発明は、有機ＥＬディスプレイを備えた携帯型電話機に関する。
【背景技術】
【０００２】
　有機ＥＬディスプレイには、単純マトリクス構造のパッシブ型と、ＴＦＴを用いるアクティブ型とがある。
【０００３】
　図１は、アクティブ型の有機ＥＬディスプレイの基本画素構成を示している。
【０００４】
　アクティブ型の有機ＥＬディスプレイの１画素分の回路は、スイッチング用ＴＦＴ１０１と、コンデンサ１０２と、駆動用ＴＦＴ１０３と、有機ＥＬ素子１０４とから構成されている。
【０００５】
　スイッチング用ＴＦＴ１０１のドレインには、表示信号ライン１１１を介して表示信号Data(Vin) が印加される。スイッチング用ＴＦＴ１０１のベースには、選択信号ライン１１２を介して選択信号SCANが印加される。スイッチング用ＴＦＴ１０１のソースは、駆動用ＴＦＴ１０３のベースに接続されているとともに、コンデンサ１０２を介して接地されている。
【０００６】
　駆動用ＴＦＴ１０３のドレインには、電源ライン１１３を介して駆動電源電圧Vdd が印加されている。駆動用ＴＦＴ１０３のソースは、有機ＥＬ素子１０４の陽極に接続されている。有機ＥＬ素子１０４の陰極は接地されている。
【０００７】
　スイッチング用ＴＦＴ１０１は、選択信号SCANによってオンオフ制御される。コンデンサ１０２は、スイッチング用ＴＦＴ１０１がオンのときに、スイッチング用ＴＦＴ１０１を介して供給される表示信号Data(Vin) によって充電される。そして、スイッチング用ＴＦＴ１０１がオフのときには、充電電圧を保持する。駆動用ＴＦＴ１０３は、そのベースに加えられるコンデンサ１０２の保持電圧に応じた電流を有機ＥＬ素子１０４に供給する。
【０００８】
　図２は、図１に示す基本画素構成において、表示信号Data(Vin) と有機ＥＬ素子１０４の発光輝度（駆動電流）との関係を示している。　
【０００９】
図２において、RefWは入力信号の白レベルに対する発光輝度を規定するための白側リファレンス電圧を、RefBは入力信号の黒レベルに対する発光輝度を規定するための黒側リファレンス電圧を、それぞれ示している。
【００１０】
ところで、上記のようなアクティブ型の有機ＥＬディスプレイでは、画面全体が明るい画像では、有機ＥＬ素子１０４に大きな電流が流れる。有機ＥＬ素子１０４に大きな電流が流れると、消費電力が多くなる。また、有機ＥＬ素子１０４に大きな電流が継続して流れると、その性能の劣化を早める。
【００１１】
　そこで、有機ＥＬ素子１０４の陰極に流れ込む電流を検出し、検出した電流値に応じて、有機ＥＬ素子１０４の電源電圧Vdd を制御することにより、たとえば画面全体が明るい場合には電源電圧を下げて駆動電流を低減させる技術が開発されている（特開2000-267628 号公報参照) 。
【００１２】
　上記従来技術による電源電圧制御は、検出した電流値に応じて有機ＥＬ素子１０４の電源電圧Vdd を制御するフィードバック制御である。フィードバック制御の場合、映像の明るさが急激に変化した時など、過制御が発生しやすく、その際に短い周期で輝度が変動するといったいわゆるハンチングが生じてしまう。
【特許文献１】特開2000-267628 号公報
【発明の開示】
【発明が解決しようとする課題】
【００１３】
　この発明は、周辺の明るさに応じて有機ＥＬディスプレイの表示輝度を変化させることができる携帯型電話機を提供することを目的とする。
【００１４】
　この発明は、携帯型電話機の向きに応じて有機ＥＬディスプレイの表示輝度を変化させることができる携帯型電話機を提供することを目的とする。
【課題を解決するための手段】
【００１５】
請求項１に記載の発明は、自動露光制御機能を有するカメラと有機ＥＬディスプレイを備えた携帯型電話機において、カメラの露光制御情報に基づいて、周辺の明るさを判定する判定手段、判定手段によって判定された周辺の明るさに基づいて、有機ＥＬディスプレイの表示輝度を制御する表示輝度制御手段を備えていることを特徴とする。
【００１６】
請求項２に記載の発明は、請求項１に記載の携帯型電話機において、表示輝度制御手段は、判定手段によって判定された周辺の明るさが暗い場合には有機ＥＬディスプレイの表示輝度が低くなり、判定手段によって判定された周辺の明るさが明るい場合には有機ＥＬディスプレイの表示輝度が高くなるように、有機ＥＬディスプレイの表示輝度を制御するものであることを特徴とする。
【００１７】
請求項３に記載の発明は、請求項１または２に記載の携帯型電話機において、カメラの露光制御情報は、露光時間情報およびＡＧＣゲイン情報のうちから選択された１つであることを特徴とする。
【００１８】
請求項４に記載の発明は、有機ＥＬディスプレイを備えた携帯型電話機において、有機ＥＬディスプレイの表示面の向きを検出する検出手段、検出手段によって検出された有機ＥＬディスプレイの表示面の向きに基づいて、有機ＥＬディスプレイの表示輝度を制御する表示輝度制御手段を備えていることを特徴とする。
【００１９】
請求項５に記載の発明は、請求項４に記載の携帯型電話機において、表示輝度制御手段は、有機ＥＬディスプレイの表示面の向きが上向きである場合には有機ＥＬディスプレイの表示輝度が高くなり、有機ＥＬディスプレイの表示面の向きが下向きである場合には有機ＥＬディスプレイの表示輝度が低くなるように、有機ＥＬディスプレイの表示輝度を制御するものであることを特徴とする。
【発明の効果】
【００２０】
　この発明によれば、携帯型電話機において、周辺の明るさに応じて有機ＥＬディスプレイの表示輝度を変化させることができるようになる。
【００２１】
　この発明によれば、携帯型電話機の向きに応じて有機ＥＬディスプレイの表示輝度を変化させることができるようになる。
【発明を実施するための最良の形態】
【００２２】
　以下、図３〜図１０を参照して、 この発明の実施の形態について説明する。
【実施例】
【００２３】
〔１〕第１の実施の形態の説明
　図３は、この発明の第１の実施の形態である有機ＥＬディスプレイの輝度制御回路の構成を示している。
【００２４】
　有機ＥＬディスプレイの輝度制御回路は、リファレンス電圧制御回路１とＤＡＣ２とを備えている。デジタル映像入力信号R ＿in，G ＿in，B ＿inは、リファレンス電圧制御回路１に送られるとともに、ＤＡＣ２に送られる。リファレンス電圧制御回路１は、ＤＡＣ２に供給されるリファレンス電圧を制御する。ＤＡＣ２に供給されるリファレンス電圧には、R,G,B それぞれについて、黒側リファレンス電圧R ＿RefB, G ＿RefB, B ＿RefB( これらを総称するときには RefB と記載する) と、白側リファレンス電圧R ＿RefW, G ＿RefW, B ＿RefW( これらを総称するときには RefW と記載する) とがある。
【００２５】
黒側リファレンス電圧RefBとは、入力信号の黒レベルに対する発光輝度を規定するための基準電圧であり、この実施の形態では、固定されている。白側リファレンス電圧RefWとは、入力信号の白レベルに対する発光輝度を規定するための基準電圧であり、この実施の形態では、リファレンス電圧制御回路１によって制御される。
【００２６】
ＤＡＣ２は、リファレンス電圧制御回路１から供給される黒側リファレンス電圧RefBと白側リファレンス電圧RefW' とによって規定される入出力特性に基づいて、デジタル映像入力信号R ＿in，G ＿in，B ＿inをアナログ映像出力信号R ＿out ，G ＿out ，B ＿out に変換する。ＤＡＣ２によって得られるアナログ映像出力信号R ＿out ，G ＿out ，B ＿out は、有機ＥＬディスプレイ３に供給される。このアナログ映像出力信号R ＿out ，G ＿out ，B ＿out は、図１の表示信号Data(Vin) に相当する。
【００２７】
　リファレンス電圧制御回路１は、輝度信号生成回路（Ｙ生成回路）１１、輝度積算回路１２、ＬＰＦ１３、ゲイン算出回路１４、リファレンス電圧調整回路（Ref 電圧調整回路）１５および複数のＤＡＣ１６〜２１を備えている。
【００２８】
　輝度信号生成回路１１は、デジタル映像入力信号R ＿in，G ＿in，B ＿inに基づいて、輝度信号Ｙを生成する。輝度積算回路１２は、輝度信号生成回路１１によって生成された輝度信号に基づいて、１フレーム毎に輝度積算値を算出する。ＬＰＦ１３は、輝度積算回路１２によって算出された１フレーム単位の輝度積算値を時間方向に平滑化する。このＬＰＦ１３は、急峻な明るさの変化に対して、後述するゲインGainをゆっくり変化させるために設けられているが、省略してもよい。
【００２９】
ゲイン算出回路１４は、ＬＰＦ１３から得られる１フレーム毎の輝度積算値の大きさに応じて、白側リファレンス電圧RefWを制御するためのゲインGainを算出する。図４（ａ）および図４（ｂ）は、それぞれゲイン算出回路１４の入出力特性、つまり、１フレーム単位の輝度積算値に対するゲインの特性の例を示している。
【００３０】
　図４（ａ）の特性では、１フレーム単位の輝度積算値が０〜ａまではゲインは１．００となり、１フレーム単位の輝度積算値がａを越えるとゲインは徐々に低下している。図４（ｂ）の特性では、１フレーム単位の輝度積算値が０〜ｂまではゲインは１．００となり、１フレーム単位の輝度積算値がｂ〜ｃまではゲインは緩やかに低下し、１フレーム単位の輝度積算値がｃを越えるとゲインはやや急激に低下している。
【００３１】
リファレンス電圧調整回路１５は、R,G,B 毎に予め設定された黒側リファレンス電圧( 以下、基準黒側リファレンス電圧という)R＿RefB, G ＿RefB, B ＿RefBと、R,G,B 毎に予め設定された白側リファレンス電圧( 以下、基準白側リファレンス電圧という)R＿RefW, G ＿RefW, B ＿RefWと、ゲイン算出回路１４によって算出されたゲインGainとに基づいて、R,G,B 毎の調整後の白側リファレンス電圧R ＿RefW', G＿RefW', B＿RefW' を生成する。
【００３２】
各基準黒側リファレンス電圧R ＿RefB, G ＿RefB, B ＿RefB  および各基準白側リファレンス電圧R ＿RefW, G ＿RefW, B ＿RefWは、デジタル信号として与えられている。
【００３３】
リファレンス電圧調整回路１５は、R,G,B それぞれに対するリファレンス電圧調整回路を含んでいるが、それぞれの構成は同じであるので、ここでは、R に対するリファレンス電圧調整回路について説明する。
【００３４】
　図５は、R に対するリファレンス電圧調整回路を示している。
【００３５】
　このリファレンス電圧調整回路は、減算器３１、乗算器３２および減算器３３を備えている。
【００３６】
　減算器３１は、R に対する基準黒側リファレンス電圧R ＿RefBと、R に対する基準白側リファレンス電圧R ＿RefWとの差（R ＿RefB−R ＿RefW）を演算する。乗算器３２は、減算器３１の出力（R ＿RefB−R ＿RefW）にゲインGainを乗算する。減算器３３は、基準黒側リファレンス電圧R ＿RefBから乗算器３２の出力（ Gain ×（R ＿RefB−R ＿RefW）) を減算することにより、調整後の白側リファレンス電圧R ＿RefW' を算出する。
【００３７】
　ゲインGainが１．００である場合には、調整後の白側リファレンス電圧R ＿RefW' は、基準白側リファレンス電圧R ＿RefWと等しくなる。そして、ゲインGainが小さくなるほど、つまり、１フレーム単位の輝度積算値が大きくなるほど、調整後の白側リファレンス電圧R ＿RefW' が大きくなり、基準黒側リファレンス電圧R ＿RefB側に近づく。つまり、１フレーム単位の輝度積算値が大きくなるほど、入力信号の白レベルに対する有機ＥＬ素子の発光輝度（駆動電流）が低下する。
【００３８】
各基準黒側リファレンス電圧R ＿RefB, G ＿RefB, B ＿RefB  は、それぞれＤＡＣ１６、１７、１８によってアナログ信号に変換されて、ＤＡＣ２に供給される。各調整後の白側リファレンス電圧R ＿RefW', G＿RefW', B＿RefW' は、それぞれＤＡＣ１９、２０、２１によってアナログ信号に変換されて、ＤＡＣ２に供給される。
【００３９】
　図６は、ＤＡＣ２の入出力特性を示している。
【００４０】
　図６において、RefW’１は、輝度積算値が小さい場合（暗い映像である場合）にＤＡＣ２に供給される白側リファレンス電圧（＝基準白側リファレンス電圧RefW) を示している。RefW’３は、輝度積算値が大きい場合（明るい映像である場合）にＤＡＣ２に供給される白側リファレンス電圧を示している。RefW’２は、輝度積算値が中間値である場合（中間の明るさの映像である場合）にＤＡＣ２に供給される白側リファレンス電圧を示している。
【００４１】
　ＤＡＣ２に供給される白側リファレンス電圧がRefW’１である場合には、ＤＡＣ２の入出力特性は、直線Ｌ１で示される特性となる。この場合に、黒レベルから白レベルまで変化する入力信号をＤＡＣ２に周期的に入力すると、曲線Ｓ１に示すような出力波形が得られる。
【００４２】
　ＤＡＣ２に供給される白側リファレンス電圧がRefW’３である場合には、ＤＡＣ２の入出力特性は、直線Ｌ３で示される特性となる。この場合に、黒レベルから白レベルまで変化する入力信号をＤＡＣ２に周期的に入力すると、曲線Ｓ３に示すような出力波形が得られる。
【００４３】
　ＤＡＣ２に供給される白側リファレンス電圧がRefW’２である場合には、ＤＡＣ２の入出力特性は、直線Ｌ２で示される特性となる。この場合に、黒レベルから白レベルまで変化する入力信号をＤＡＣ２に周期的に入力すると、曲線Ｓ２に示すような出力波形が得られる。
【００４４】
　つまり、白側リファレンス電圧をフレーム単位の輝度積算値に応じて制御することにより、ＤＡＣ２の出力信号の振幅が制御されていることがわかる。
【００４５】
　上記実施の形態では、入力映像が明るい映像である場合には、映像入力信号（表示信号）の振幅を小さくするようにし、これにより有機ＥＬ素子の駆動電流を低減させている。ＤＡ変換時のリファレンス電圧を制御することによって、映像入力信号の振幅を制御しているので、階調は低下しない。
【００４６】
　また、映像入力信号（表示信号）の振幅制御は、フィードフォワード制御によって行われているので、ハンチングも発生しない。
〔２〕第２の実施の形態の説明
　図７は、この発明の第２の実施の形態である有機ＥＬディスプレイの輝度制御回路の構成を示している。図７において、図３と同じものには、同じ符号を付してその説明を省略する。
【００４７】
　第２の実施の形態における有機ＥＬディスプレイの輝度制御回路は、第１の実施の形態における有機ＥＬディスプレイの輝度制御回路と次の点で異なっている。
（１）リファレンス電圧制御回路１内に、外部から画面全体の輝度を制御するための乗算器４１が設けられていること。
（２）リファレンス電圧制御回路１内に、ホワイトバランス調整を可能とする乗算器５１、５２、５３が設けられていること。
（３）Ｒ，Ｇ，Ｂ毎に表示信号に対する発光輝度の特性が異なるため、リファレンス電圧制御回路１内に、Ｒ，Ｇ，Ｂ毎にゲインGainを補正するためのゲイン補正回路６１、６２、６３が設けられていること。
【００４８】
　以下、これらの相違点について、さらに詳しく説明する。
【００４９】
　ゲイン算出回路１４によって算出されたゲインGainは、乗算器４１に入力する。乗算器４１には、外部から画面全体の輝度を制御するための全体輝度制御信号W ＿Gainが与えられる。乗算器４１に与えられる信号W ＿Gainを制御することによって、たとえば、ディスプレイを明るい場所で使用する場合に画面を明るくしたり、一定時間経過後に画面を暗くしたりすることが可能となる。
【００５０】
乗算器４１の出力は、乗算器５１、５２、５３それぞれに与えられる。これらの乗算器５１、５２、５３には、それぞれＲ，Ｇ，Ｂ個別に任意のゲインR ＿Gain,G＿Gain,B＿Gainが与えられる。乗算器５１、５２、５３にそれぞれ与えられるゲインR ＿Gain,G＿Gain,B＿Gainを個別に制御することができるので、ホワイトバランス調整が可能となる。
【００５１】
各乗算器５１、５２、５３の出力は、それぞれ対応するゲイン補正回路６１、６２、６３に送られる。各ゲイン補正回路６１、６２、６３は、たとえば、図８の直線Ｋ１、Ｋ２のように、入出力特性を設定することにより、入力されたゲインを補正する。
【００５２】
　リファレンス電圧調整回路１５においては、Ｒ，Ｇ，Ｂ毎に対応するゲイン補正回路６１、６２、６３から与えられるゲインを用いて、Ｒ，Ｇ，Ｂ毎に白側リファレンス電圧を調整する。
〔３〕第３の実施の形態の説明
　図９は、携帯型電話機の概略構成を示している。
【００５３】
　ＭＰＵ２０９は、携帯型電話機の全体的な制御を行う。アンテナ２０１は、電波を送受信する。送受信部２０２は、電波を受信し、受信内容をＭＰＵ２０９に伝達する。また、送受信部２０２は、ＭＰＵ２０９から出力される送信信号を電波に乗せて発信する。
【００５４】
　マイク２０３は、音声信号をＭＰＵ２０９に送る。スピーカ２０４は、ＭＰＵ２０９から出力される音声信号を音声として出力する。第１カメラ２０５は、有機ＥＬディスプレイ２１４が設けられている携帯型電話機本体の前面に取り付けられたカメラであり、撮像した映像をＭＰＵ２０９に送る。第２カメラ２０６は、携帯型電話機本体の背面に取り付けられたカメラであり、撮像した映像をＭＰＵ２０９に送る。撮像モード時には、通常モード時の表示映像に代わって、カメラ２０５または２０６によって撮像された映像が有機ＥＬディスプレイ２１４に表示される。
【００５５】
　操作部２０８は、携帯型電話機本体に設けられており、図１０に示すように、各種ボタン２２１、各種スイッチ２２２を含んでいる。タイマ２１１は、後述するように輝度制御のために用いられる。
【００５６】
　フラッシュメモリ２１０には、電源オフ時においても保存すべきデータが格納される。グラフックスメモリ２１２には、ディスプレイに表示する画像データが格納される。ＭＰＵ２０９から出力される画像データと書き込み制御信号に基づいて、グラフックスメモリ２１２の所定のアドレスに画像データが書き込まれる。また、グラフックスメモリ２１２からは、有機ＥＬディスプレイ２１４の表示周期にあわせて、対応画素の画素データが走査タイミングに合わせて出力される。
【００５７】
　タイミング制御ＩＣ２１３は、有機ＥＬディスプレイ２１４に画像データと、駆動信号を供給し、有機ＥＬディスプレイ２１４に映像を表示させる。タイミング制御ＩＣ２１３は、輝度制御回路を含んでいる。
【００５８】
　図１０は、タイミング制御ＩＣ２１３内に設けられた輝度制御回路の構成と、画面全体の輝度を制御するためのＭＰＵ２０９およびその周辺機器とを示している。
【００５９】
　図１０において、図３と同じものには、同じ符号を付してその説明を省略する。図１０の輝度制御回路は、図３の輝度制御回路とほぼ同様であるが、リファレンス電圧制御回路１内に、画面全体の輝度（表示輝度）を制御するための乗算器４１が設けられていている点が異なっている。乗算器４１に与えられる全体輝度制御信号W ＿Gainは、ＭＰＵ２０９によって生成される。
【００６０】
　ＭＰＵ２０９には、操作部２０８に設けられた各種ボタン２２１、各種スイッチ２２２が接続されている。ＭＰＵ２０９は、タイマ２１１を備えている。ＭＰＵ２０９には、カメラ２０５、２０６が接続されている。各カメラ２０５、２０６は自動露光制御機能を備えている。この例では、携帯型電話機本体の前面に取り付けられた第１カメラ２０５から、露光時間情報がＭＰＵ２０９に送られている。
【００６１】
　ＭＰＵ２０９は、第１カメラ２０５からの露光時間情報に基づいて、現在の携帯型電話機の使用環境下での周辺の明るさを推定して、全体輝度制御信号W ＿Gainを生成する。全体輝度制御信号W ＿Gainは、例えば、２．０〜０．５の間の値をとる。
【００６２】
　具体的には、露光時間が大きいとき、つまり周辺の明るさが暗い場合には、　全体輝度制御信号W ＿Gainを小さくする。この結果、乗算器４１から出力されるゲインは、ゲイン算出回路１４によって算出されたゲインより小さくなり、調整後の白側リファレンス電圧R ＿Refw' が大きくなるため、表示輝度が低くなる。
【００６３】
反対に、露光時間が小さいとき、つまり周辺の明るさが明るい場合には、全体輝度制御信号W ＿Gainを大きくする。この結果、乗算器４１から出力されるゲインは、ゲイン算出回路１４によって算出されたゲインより大きくなり、調整後の白側リファレンス電圧R ＿Refw' が小さくなるため、表示輝度が高くなる。
【００６４】
なお、第１カメラ２０５の露光時間情報の代わりに第１カメラ２０５のＡＧＣゲイン情報を用いて上記のような制御を行ってもよい。この場合には、ＡＧＣゲインが大きい場合に、周辺の明るさが暗いと判定して、全体輝度制御信号W ＿Gainを小さくする。逆に、ＡＧＣゲインが小さい場合に、周辺の明るさが明るいと判定して、全体輝度制御信号W ＿Gainを大きくする。
【００６５】
　また、ＭＰＵ２０９は、操作部２０８に設けられた各種ボタン２２１または各種スイッチ２２２が操作されたときに、全体輝度制御信号W ＿Gainを小さくすることによって表示輝度が高くする。そして、一定時間が経過すると、全体輝度制御信号W ＿Gainを大きくすることによって表示輝度が低くする。
【００６６】
　一定時間が経過したか否かは、タイマ２１１を用いて判定する。具体的には、タイマ２１１は、ボタン２２１またはスイッチ２２２が操作されたときにリセットされ、自動的に計時を開始する。そして、タイマ２１１によって計時された時間に応じて画面輝度を制御する。たとえば、所定時間以上経過すると、表示輝度を半減させる。
〔４〕第４の実施の形態の説明
　図１１は、携帯型電話機の概略構成を示している。図１１において、図９と同じものには、同じ符号を付してその説明を省略する。
【００６７】
　この携帯型電話機では、図９の携帯型電話機に比べて、有機ＥＬディスプレイ２１４の表示面の向き（上向き、下向き、横向き等）を検出するための向きセンサ２０７が設けられている点で異なっている。また、この携帯型電話機では、第１カメラ２０５からの露光時間情報に基づく表示輝度制御は行なわれていない。
【００６８】
　図１２は、タイミング制御ＩＣ２１３内に設けられた輝度制御回路の構成と、画面全体の輝度を制御するためのＭＰＵ２０９およびその周辺機器とを示している。
【００６９】
　図１２において、図３と同じものには、同じ符号を付してその説明を省略する。図１２の輝度制御回路は、図３の輝度制御回路とほぼ同様であるが、リファレンス電圧制御回路１内に、画面全体の輝度（表示輝度）を制御するための乗算器４１が設けられていている点が異なっている。乗算器４１に与えられる全体輝度制御信号W ＿Gainは、ＭＰＵ２０９によって生成される。
【００７０】
　ＭＰＵ２０９には、操作部２０８に設けられた各種ボタン２２１、各種スイッチ２２２が接続されている。ＭＰＵ２０９は、タイマ２１１を備えている。ＭＰＵ２０９には、向きセンサ２０７が接続されている。
【００７１】
　ＭＰＵ２０９は、向きセンサ２０７の検出信号に基づいて、有機ＥＬディスプレイ２１４の表示面の向き（上向き、下向き、横向き等）推定して、全体輝度制御信号W ＿Gainを生成する。全体輝度制御信号W ＿Gainは、例えば、２．０〜０．５の間の値をとる。
【００７２】
　具体的には、有機ＥＬディスプレイ２１４の表示面が上向きになるほど、全体輝度制御信号W ＿Gainを小さくすることによって、表示輝度を明るくさせる。全体輝度制御信号W ＿Gainは、有機ＥＬディスプレイ２１４の表示面が上向きの場合に小さい値に制御され、有機ＥＬディスプレイ２１４の表示面が下向きの場合に大きい値に制御され、有機ＥＬディスプレイ２１４の表示面が横向きのときには中間の値に制御される。
【００７３】
また、ＭＰＵ２０９は、上記第３の実施の形態と同様に、操作部２０８に設けられた各種ボタン２２１または各種スイッチ２２２が操作されたときに、全体輝度制御信号W ＿Gainを小さくすることによって表示輝度が高くする。そして、一定時間が経過すると、全体輝度制御信号W ＿Gainを大きくすることによって表示輝度が低くする。
【００７４】
　なお、有機ＥＬディスプレイ２１４の表示面の向き（上向き、下向き、横向き等）を、２台のカメラ２０５、２０６の露光時間とＡＧＣゲインから検出するようにしてもよい。　　　
【００７５】
　つまり、有機ＥＬディスプレイ２１４の表示面の向きが上向きの場合には、携帯型電話機本体の前面側が背面側より明るい可能性が高いため、携帯型電話機本体の前面に取り付けられた第１カメラ２０５の露光時間が、携帯型電話機本体の背面に取り付けられた第２カメラ２０６の露光時間より短くなる（露光時間が同じ場合にはＡＧＣゲインが小さくなる）と考えられる。
【００７６】
　また、反対に、有機ＥＬディスプレイ２１４の表示面の向きが下向きの場合には、携帯型電話機本体の背面側が前面側より明るい可能性が高いため、携帯型電話機本体の背面に取り付けられた第２カメラ２０６の露光時間が、携帯型電話機本体の前面に取り付けられた第１カメラ２０５の露光時間より短くなる（露光時間が同じ場合にはＡＧＣゲインが小さくなる）と考えられる。
【００７７】
　そこで、２台のカメラ２０５、２０６の露光時間とＡＧＣゲインによって有機ＥＬディスプレイ２１４の表示面の向きを判定することができる。
【図面の簡単な説明】
【００７８】
【図１】アクティブ型の有機ＥＬディスプレイの基本画素構成を示す回路図である。
【図２】図２は、図１に示す基本画素構成において、表示信号Data(Vin) と有機ＥＬ素子の発光輝度（駆動電流）との関係を示すグラフである。
【図３】この発明の第１の実施の形態である有機ＥＬディスプレイの輝度制御回路の構成を示している。
【図４】ゲイン算出回路１４の入出力特性の例を示すグラフである。
【図５】R に対するリファレンス電圧調整回路を示す回路図である。
【図６】ＤＡＣ２の入出力特性を示すグラフである。
【図７】この発明の第２の実施の形態である有機ＥＬディスプレイの輝度制御回路の構成を示している。
【図８】各ゲイン補正回路６１、６２、６３の入出力特性の設定例を示すグラフである。
【図９】この発明の第３の実施の形態である携帯型電話機の概略構成を示すブロック図である。
【図１０】図９のタイミング制御ＩＣ２１３内に設けられた輝度制御回路の構成と、画面全体の輝度を制御するためのＭＰＵ２０９およびその周辺機器とを示すブロック図である。
【図１１】この発明の第４の実施の形態である携帯型電話機の概略構成を示すブロック図である。
【図１２】図１１のタイミング制御ＩＣ２１３内に設けられた輝度制御回路の構成と、画面全体の輝度を制御するためのＭＰＵ２０９およびその周辺機器とを示すブロック図である。
【符号の説明】
【００７９】
　１　リファレンス電圧制御回路
　２　ＤＡＣ
　３　有機ＥＬディスプレイ
１１　輝度信号生成回路（Ｙ生成回路）
１２　輝度積算回路
１３　ＬＰＦ
１４　ゲイン算出回路
１５　リファレンス電圧調整回路（Ref 電圧調整回路）
４１、５１、５２、５３　乗算器
２０５，２０６　カメラ
２０７　向きセンサ
２０８　操作部
２０９　ＭＰＵ
２１１　タイマ
２１４　有機ＥＬディスプレイ
【図１】
2004096760.tif 000003
【図２】
2004096760.tif 000004
【図３】
2004096760.tif 000005
【図４】
2004096760.tif 000006
【図５】
2004096760.tif 000007
【図６】
2004096760.tif 000008
【図７】
2004096760.tif 000009
【図８】
2004096760.tif 000010
【図９】
2004096760.tif 000011
【図１０】
2004096760.tif 000012
【図１１】
2004096760.tif 000013
【図１２】
2004096760.tif 000014